(57)【要約】一体「Ｔ字型」アセンブリ５００は、仕切板（５０４）の両側に沿ったトラック部を単一の一体化されたアセンブリに合体させている。Ｔ字型アセンブリは、仕切板の一方の側にバネ付勢プッシャトラックを含んでもよい幅広の基部（５１８）と、仕切板の反対の側に細幅の基部（５２０）とを有してもよい。オフセットプッシャ（７００）は、角度の付いたオフセット部によってプッシャの下部からずらされた上部を有してもよい。いずれもバネ付勢プッシャトラックおよび／またはバネ付勢プッシャを含んでもよいさらなる支持基部を幅の広い製品の下に使用してもよい。左右の側のフィニシャ（６００）部品を商品陳列棚の両側の近傍でＴ字型アセンブリと対になるようにしてもよい。Ｔ字型アセンブリ、基部、および／または端部フィニシャは、補完的なタングおよび溝の配列および／または１対の歯のような非スライド可能な噛合部によって前部レールに連結するようにしてもよい。
2004525728.tif 000002
【特許請求の範囲】
【請求項１】
商品陳列システムであって、
棚に操作可能に連結するように適合された基部と、
陳列される製品を各列に仕切る仕切板部とを含んでなり、
当該前記仕切板部が、前記基部を、プッシャトラックを有する第１の部分、および第２の部分に分離するように基部から突出すことを特徴とする、陳列される商品を支持するための一体化された基部および仕切板アセンブリと、
商品を棚の前部に向かって第１の部分に沿って押し出すプッシャトラック内のバネ付勢プッシャと、
を備えてなる商品陳列システム。
【請求項２】
基部および仕切板部は、基部の長さおよび仕切板部の長さを短縮するためのそれぞれ取り外し可能な分離部を有していることを特徴とする、請求項１に記載の商品陳列システム。
【請求項３】
基部の分離部が取り外された状態で、第１の部分の背部近傍の穴に挿入された栓によってプッシャがプッシャトラックの背部からスライドすることを防止することを特徴とする、請求項１に記載の商品陳列システム。
【請求項４】
プッシャトラックの前端部は、プッシャがプッシャトラックの前部に挿入される時にプッシャのコイルバネの曲がり部分と自動的に噛み合うことを特徴とする、請求項１に記載の商品陳列システム。
【請求項５】
プッシャは、商品を補充する位置のトラックの背部の近傍にプッシャを保持するための凹部を含むことを特徴とする、請求項１に記載の商品陳列システム。
【請求項６】
プッシャは、仕切板部とプッシャトラックとの間の距離よりも仕切板部から遠くに離して配置されたオフセット部を含むことを特徴とする、請求項１に記載の商品陳列システム。
【請求項７】
オフセット部は、角度の付いたオフセット部によってプッシャの下部からずらされたプッシャの上部であることを特徴とする、請求項６に記載の商品陳列システム。
【請求項８】
基部および仕切板アセンブリの背部の第１の部分は基部および仕切板アセンブリの背部の第２の部分よりも幅が広いことを特徴とする、請求項１に記載の商品陳列システム。
【請求項９】
基部を有する一体端部部品をさらに備え、端部部品の仕切板部と、基部および仕切板アセンブリの仕切板部と、プッシャとが協働して陳列される商品とを収容することを特徴とする、請求項１に記載の商品陳列システム。
【請求項１０】
端部部品の基部は陳列される製品の第１の側を支持し、基部および仕切板アセンブリの第１の部分は陳列される製品の第１の側とは反対の側を支持することを特徴とする、請求項８に記載の商品陳列システム。
【請求項１１】
棚に操作可能に連結するように適合された基部をさらに備え、前記基部はプッシャトラックを含むことを特徴とする、請求項８に記載の商品陳列システム。
【請求項１２】
基部のプッシャトラック内にバネ付勢プッシャをさらに備えることを特徴とする、請求項１０に記載の商品陳列システム。
【請求項１３】
棚に操作可能に連結するように適合された基部をさらに備え、前記基部はプッシャトラックを含むことを特徴とする、請求項１に記載の商品陳列システム。
【請求項１４】
基部のプッシャトラック内にバネ付勢プッシャをさらに備えることを特徴とする、請求項１２に記載の商品陳列システム。
【請求項１５】
基部および仕切板アセンブリは、棚の前部に沿って伸び且つ棚の前部に取り付けられた前部レールと非スライド可能に噛み合うことを特徴とする、請求項１に記載の商品陳列システム。
【請求項１６】
前部レールの上に向いた表面上にある歯車の歯状の突出部と噛み合っていることと、基部および仕切板アセンブリの底面の前部の近傍にある歯車の歯状の突出部をさらに備えることとを特徴とする、請求項１４に記載の商品陳列システム。
【請求項１７】
仕切板部と一体化された基部を含む一体端部部品をさらに備え、端部部品の基部は棚に操作可能に連結するように適合され、端部部品の仕切板部、基部および仕切板アセンブリの仕切板部、および端部部品のプッシャトラック内のプッシャが協働して陳列される商品を収容することを特徴とする、請求項１に記載の商品陳列システム。
【請求項１８】
端部部品の基部は陳列される製品の第１の側を支持し、基部および仕切板アセンブリの第２の部分は陳列される製品の第１の側とは反対の側を支持することを特徴とする、請求項１６に記載の商品陳列システム。
【請求項１９】
オフセットプッシャを有し、且つ棚に操作可能に連結するように適合された第２の一体化された基部および仕切板アセンブリをさらに備え、基部および仕切板アセンブリの第２の基部は陳列される製品の第１の側を支持し、第２の基部および仕切板アセンブリの第１の基部は製品の第１の側とは反対の側を支持することを特徴とする、請求項１６に記載の商品陳列システム。
【発明の詳細な説明】
【技術分野】
【０００１】
本願は、２００１年５月１７日に出願した、「製品管理陳列システム」をタイトルとする米国第６０／２９１，７３２号仮特許出願の優先権を出張する。
【０００２】
本発明は、商品陳列棚上で商品の陳列、押し出し、および仕切りを行うためのシステムに関する。
【背景技術】
【０００３】
商品が買い物客に見えるように且つ手の届くように、棚上の商品を棚の正面に向かって配置することが望ましい。従って、商品が棚から取り出される際に、残っている商品を棚の前方に押し出すようにすることが有利である。仕切板とも呼ばれる仕切りパネルによって商品を陳列棚の各列に仕分けることが望ましい場合もある。
【０００４】
同一出願人による米国特許第６，０４１，７２０号（「’７２０号特許」）では、陳列された商品の仕切りおよび押し出しに使用される製品管理陳列システムを開示している。
【０００５】
’７２０特許の図１を参照すると、それぞれ基部１６６、２１２および２３２の上に取り付けられたプッシャ端部装置１５０、プッシャ仕切板１５２およびプッシャ１５４等の様々な部品が開示され、これらは棚枠２５または標準的なディーラー棚４０のいずれか上に取り付けられる。’７２０特許の図１の基部１６６、２１２および２３２に取り付けられたプッシャ端部装置１５０、プッシャ仕切板１５２およびプッシャ１５４は最大限の柔軟性を考慮して設計されていた。この柔軟性のため、陳列される特定の製品に応じて、これらの部品を多くの異なる方法で組み立てて使用することが可能となっている。これは店員に対して混乱を起こさせる可能性のある選択肢を与え、その結果として苛立ち、時間の浪費、および部品取り付けの誤りが引き起こされ得る。通常、３つのプッシャ部品、即ち押し出し装置を受け入れることができる全幅トラック、仕切板、および細幅トラックを共に使用することが、他の部品を組み合わせることよりも多い。従って、これらの装置を単一の一体化されたアセンブリに合体させる部品が望ましい。
【発明の開示】
【０００６】
本発明の実例としての実施の形態による基部および仕切板アセンブリとも称される一体「Ｔ字型」アセンブリは、全幅トラック、仕切板、および細幅トラックを単一の一体化されたアセンブリに合体させている。幅が狭く強固な端部フィニッシャ部品を使用して、第２の仕切板状のパーティション、および任意で棚の一方の側の端部の近傍でＴ字型アセンブリの細幅トラックまたは幅広トラックと一対となる幅広または細幅トラックを設けるようにしてもよい。
【０００７】
本発明の実例としての実施の形態によれば、バネ付勢オフセットプッシャは、角度の付いたオフセット部によってプッシャの下部からずらされた上部を有してもよい。上部オフセット部を、陳列される様々な製品の中央に向かって有利にさらに延ばすようにしてもよい。このようなオフセットプッシャによって最小限の数の部品を使用することを可能とする一方、製品を比較的その中心の近傍で押し出すため、あまり拘束することなく製品をスムーズに押し出すという利点がある。幅の広い製品を陳列する場合、いずれもプッシャを有してもよい１つ以上の支持トラックを製品の下に使用してもよい。
【０００８】
本発明の実例としての実施の形態によれば、Ｔ字型アセンブリおよび／または全トラックを補完的なタングおよび溝の配列によって前部レールに連結させてもよい。Ｔ字型アセンブリ、端部フィニッシャおよび全幅トラック等の仕切板パネルを有する部品はいずれも、前部レールの対応する噛み合い機構と非スライド可能に噛み合う様々な噛み合い機構の内のいずれを含んでもよい。例えば、基部上の歯は前部レール上の対応する歯と噛み合うようにしてもよい。この種の歯によって有利に、対応する歯を有するＴ字型アセンブリ、全幅トラックおよび／または端部フィニッシャを垂直方向に連続して前部レールに沿った位置に配置することが可能になると共に、通常の買い物を行う際および棚の補充の際にその意図された位置から部品が誤ってずれることが防止される。
【０００９】
本発明の実例としての実施の形態によれば、Ｔ字型アセンブリは切り取り線および折り取り線を含んでもよい。このような切り取り線および折り取り線の組み合わせを有利に使用することによって、例えば１６インチまたは１０インチのいずれかの異なる深さの棚に使用することができる１つの部品を製造するようにしてもよい。
【００１０】
本発明の実例としての実施の形態によれば、プッシャは凹部を含んでも良く、商品を補充する時にこの凹部を使用してプッシャを全幅トラックまたはＴ字型アセンブリの背部近傍に保持するようにしてもよい。凹部を使用してプッシャをトラックの背部に保持するためには、人がプッシャを凹部に戻すようにしてもよく、またプッシャの頭部をトラックの前部に向かって傾斜させるようにしてもよい。プッシャが邪魔とならないように手で保持する必要なく商品を補充するようにしてもよい。プッシャを凹部から元に戻すためには、プッシャをトラックの背部に向かって押せばよく、そのようにすればプッシャが直立位置に戻り、通常のようにトラックに沿って移動する。
【００１１】
本発明の実例としての実施の形態によれば、プッシャが沿って移動する各表面の前端部は、プッシャがトラックの前部に挿入される時にプッシャのコイルバネの曲がり部分と自動的に噛み合うようにしてもよい。
【００１２】
本発明のさらなる特徴および利点は以下の詳細な説明を精読することによって明らかとなるであろう。
【発明を実施するための最良の形態】
【００１３】
図１は、本発明の実例としての実施の形態による一体「Ｔ字型」アセンブリ５００を示している。「Ｔ」は図５における矢印５０２の方向で見た場合のＴ字型アセンブリ５００の外観を示している。Ｔ字型アセンブリ５００は実際、逆さまの（および中心を外れている）Ｔように見えるが、便宜上、単にＴ字型アセンブリと呼ぶことにする。Ｔ字型アセンブリは、基部および仕切板アセンブリとも呼んでもよい。Ｔ字型アセンブリは本質的に、第１のトラック、仕切板および第２のトラックを単一のアセンブリに合体している。本発明の実例としての実施の形態によれば、仕切板部５０４、基部の第１の部分５１８、および基部の第２の部分５２０を、単一の一体化された部品として製造してもよい。
【００１４】
図１に示された本発明の実例としての実施の形態によれば、仕切板５０４はＴ字型アセンブリ５００の基部を第１の部分５１８および基部の第２の部分５２０に分割している。基部の第１の部分５１８を基部の幅広部と呼び、基部の基部の第２の部分５２０を基部５００の細幅部５２０と呼んでもよい。明らかとなるように、基部の第１および第２の部分に対してはどのような適切な幅の割合を選択してもよい。例えば、基部の第１および第２の部分が実質的に同等の幅となるように、仕切板５０４によって基部を二等分するようにしてもよい。
【００１５】
Ｔ字型アセンブリ５００は比較的厚く堅い仕切板５０４を有して、円形または三角形の物体を押し出す際に起こる場合があるたわみを防止するようにしてもよい。この種のたわみは、これらの物体が互いによって滑ること、または全体としての押し出しが円滑に行われないことの原因となる。図１において、堅い仕切板５０４は、２つの部分５１４−１および５１４−２を含み、これらについては以下に説明する。
【００１６】
プッシャ部品を使用する棚のいずれかの端部においては、幅が狭く且つ強固な端部フィニッシャ部品が望ましい。図２を参照すると、右端部部品６００を棚の右側近傍において棚に締め付けるようにしてもよい。右端部部品の仕切板６０８が棚上の最も右側の仕切板の機能を果たしてもよい。棚の対応する穴にペグ６０４および６０６を挿入することによって、右端部部品６００を操作可能に棚に連結するようにしてもよい。プラスチックのプッシュリベット等の１つ以上の留め具を用いて穴６０２−１乃至６０２−４および棚の対応する穴に右端部部品を棚に固着するようにしてもよい。
【００１７】
図２に示された右端部部品は、棚の上面の右側近傍の固定された位置に設置されることを目的としている。図１１を参照すると、左端部部品１５００は、仕切板の左側のＴ字型アセンブリの基部の一部が省略されていることを除いては、Ｔ字型アセンブリ５００と同様にしてもよい。従って、左端部部品１５は、仕切板５０４および基部５１８を含むようにしてもよい。右端部部品は固定された位置を有することを目的とし、他方の部品は棚の前部近傍のレールに沿って調整可能な位置を有するようにしてもよいため、各部品を左右に棚および前部レールの上に設置して、各部品間の距離の調整において最大限の柔軟性を可能とするようにしてもよい。
【００１８】
デオドラント、鎮痛薬、抗ヒスタミン剤等の多くの製品の幅は、最小限の数のプッシャおよび基部部品を用いて棚に沿って互いに横方向に離して間隔を空けることができるようになっているが、プッシャが中心から外れた望ましくない状態となって製品がうまく押し出されない場合がある。例えば、図１０を参照すると、棚１４０４に操作可能に連結されている複数のＴ字型アセンブリ５００−１乃至５００−３が示されている。Ｔ字型アセンブリ５００−２の基部の幅広部５１８−２およびＴ字型アセンブリ５００−３の細幅部５２０−３によって支持されている比較的幅の狭い製品１４００が示されている。製品１４００は比較的幅が狭いため、Ｔ字型アセンブリ５００−２および５００−３は比較的互いに近接して配置されている。しかし、製品１４０２は比較的幅が広い。従って、Ｔ字型アセンブリ５００−１はＴ字型アセンブリ５００−２から比較的遠くに離されている。製品１４０２はＴ字型アセンブリ５００−２の基部の細幅部５２０−２およびＴ字型アセンブリ５００−１の基部の幅広部５１８−１によって支持されている。Ｔ字型アセンブリ５００−１のプッシャトラックおよびプッシャはＴ字型アセンブリ５００−１の仕切板５０４−１に比較的近接して配置されているため、オフセットプッシャ７００（図３）のようなオフセットプッシャを使用して、オフセット部７０２が製品１４０２等の比較的幅の広い製品の中心により近接して配置されるようにしてもよい。オフセットプッシャ７００は、このプッシャ７００の下部７０６からオフセット部７０４によってずらされた上部７０２を有している。上部７０２を陳列される様々な製品に中心に向かってさらに長く延ばすようにすれば有利である。オフセットプッシャは、最小限の数の部品を使用することを可能とする一方、製品を比較的その中央の近傍で押し出すことを可能とする。
【００１９】
Ｔ字型アセンブリ５００のみを製品のいずれかの側に使用するには製品の幅が大きすぎる場合がある。このような状況においては、製品の下に１つ以上の支持トラックを使用してもよい。さらに、製品の密度の高さおよび／または重さが著しいために、製品を移動させるためのさらなるプッシャを有する他のトラックが必要とされる製品もある。このような状況においては、プッシャ７００を有しているか、または有していない、図４に示され且つ基部とも呼ばれる全幅トラック８００のような全幅トラックを使用してもよい。
【００２０】
例えば、図８は、全幅トラック８００の左右の側にプッシャ７００−２および７００−４をそれぞれ有する２つのＴ字型アセンブリ５００−２と５００―３との間にあるプッシャ７００−３を有する全幅トラック８００を示している。
【００２１】
本発明の実例としての実施の形態によれば、仕切板および／またはプッシャトラックを有する部品のいずれも、’７２０特許に開示されているように補完的なタングおよび溝の配列によって前部レールに連結するようにしてもよい。Ｔ字型アセンブリ５００および全幅トラック８００は互いに非スライド可能に噛み合うようにしてもよい。例えば、図５に示されている歯９００は、図６に示されている前部レール１０００のような前部レール内の対応する非スライド可能な噛合細部と噛み合うようにしてもよい。図７は、図６の矢印１２００によって示されている方向から見た前部レール１０００の拡大斜視側面図である。歯１１００によって、対応する歯を有するＴ字型アセンブリ５００、全幅トラック８００、および／または左端部部品を前部レールに沿って事実上連続した位置に配置することが可能となる。対になる歯を比較的薄くし且つ近接して間隔を空けることによってプッシャトラック部品を正確に配置することができるようにしてもよい。この歯によって、通常の買い物を行う際および棚の補充の際にその意図された位置から部品が誤ってずれることが有利に防止される。
【００２２】
明らかとなるように、Ｔ字型アセンブリ５００、全幅トラック８００、および／または左端部部品を前部レールと確実に噛み合わせる他の方法を用いてもよい。例えば、前部レール上の鋸歯状の縁はプッシャトラック部品の底部に噛むこともできる。プッシャトラック部品のタングが前部レール内に嵌まり込む圧力嵌め構成を使用することができる。前部レールは、プッシャトラック部品の嵌まり込んだタングを収容する溝内にゴムを有することができる。
【００２３】
再び図１を参照すると、Ｔ字型アセンブリ５００は任意で、切り取り線５０６のような切り取り線、および折り取り線５１０のような折り取り線を含んでもよい。このような切り取り線および折り取り線の組み合わせを有利に使用することによって、例えば１６インチおよび１０インチのいずれかの異なる深さの棚に使用することができる１つの部品を製造してもよい。切り取り線５０６によって縦方向の仕切板片５１４−１および５１４−２の切り取りを第１の作業として行うことが可能となる。この切り取り作業を折り取りの後に行って、トラック片５１６−２からトラック片５１６−１を切り離すようにしてもよい。切り取り線および折り取り線の組み合わせによってＴ字型アセンブリ５００の後部の取り外しが容易となる。明らかとなるように、全幅トラックおよび／または右端部フィニッシャは任意で、折り取り線５１０に類似した折り取り線を含んでもよい。
【００２４】
プッシャ７００を受け入れてもよいＴ字型アセンブリ５００の後部またはその他の基部を取り外した後、ピンを穴５０８に挿入することによってプッシャ７００がプッシャトラックの背部からスライドすることを防止するようにしてもよい。基部の底部の後部に成形された典型的なピン１３００が図９に示されている。
【００２５】
図４を参照すると、凹部８０２が示されている。凹部８０２を使用して、商品を補充する際、プッシャ７００をトラック８００またはＴ字型アセンブリ５００の背部近傍に保持するようにしてもよい。凹部８０２を使用してプッシャ７００をトラック８００の背部に保持するためには、人がプッシャ７００を凹部８０２に戻すようにしてもよく、また例えば図１の矢印５０２の反対方向にプッシャ７００の頭部をトラック８００の前部に向かって傾斜させるようにしてもよい。商品をトラックの表面に設置する際にプッシャが邪魔とならないように手で保持する必要なく商品を補充できるように、凹部８０２がプッシャ７００を保持する。プッシャ７００を凹部８０２から元に戻すためには、プッシャをトラック８００の背部に向かって押せばよく、そのようにすればプッシャが直立位置に戻り、通常のようにトラック８００に沿って移動する。
【００２６】
プッシャが沿って移動する各表面の前端部８０４−１および８０４−２は、プッシャがトラック８００の前部に挿入される時にプッシャのコイルバネの曲がり部分と自動的に噛み合うようにしてもよい。図１２は、トラック８００の前端部８０４−１と噛み合うバネ８０６の曲がり端部の断面の部分側面図である。
【００２７】
図１２はまた、本発明の実例としての実施の形態による、プッシャトラックを含む部品１６００と前部レール１６０２との間の補完的なタングおよび溝の配列を示している。部品１６００のタング１６０４は前部レール１６０２の溝１６０６と噛み合い、前部レール１６０２のタング１６０８は部品の溝１６１０と噛み合っている。
【００２８】
本発明を実施する現在好ましい形態を含む具体例に関連して本発明を説明してきたが、本発明の趣旨および範囲を逸脱せずに、上述したシステムおよび技術を様々に変化および変更できることは当業者には明らかであろう。
【図面の簡単な説明】
【００２９】
【図１】本発明の実例としての実施の形態による、基部および仕切板アセンブリとも称される一体「Ｔ字型」アセンブリを示している。
【図２】本発明の実例としての実施の形態による右端部部品を示している。
【図３】本発明の実例としての実施の形態によるオフセットプッシャを示している。
【図４】本発明の実例としての実施の形態による、プッシャと共に、またはなしで使用してもよい、基部とも称される全幅トラックを示している。
【図５】本発明の実例としての実施の形態によるＴ字型アセンブリの底部の斜視図である。
【図６】本発明の実例としての実施の形態による前部レールの斜視図である。
【図７】本発明の実例としての実施の形態による図７の前部レールの拡大斜視側面図である。
【図８】本発明の実例としての実施の形態による２つのＴ字型アセンブリの間にあるプッシャを有する全幅トラックを示している。
【図９】本発明の実例としての実施の形態によるＴ字型アセンブリの底部の後部の拡大図である。
【図１０】複数のＴ字型アセンブリ上の異なる大きさの製品を示している。
【図１１】本発明の実例としての実施の形態による一体化された端部部品を示している。
【図１２】本発明の実例としての実施の形態によるプッシャトラックの前端部と噛み合うプッシャのコイルバネの曲がり端部の断面の部分側面図である。
【国際公開パンフレット】
2004525728.tif 000003
2004525728.tif 000004
2004525728.tif 000005
2004525728.tif 000006
2004525728.tif 000007
2004525728.tif 000008
2004525728.tif 000009
2004525728.tif 000010
2004525728.tif 000011
2004525728.tif 000012
2004525728.tif 000013
2004525728.tif 000014
2004525728.tif 000015
2004525728.tif 000016
2004525728.tif 000017
2004525728.tif 000018
2004525728.tif 000019
2004525728.tif 000020
2004525728.tif 000021
2004525728.tif 000022
2004525728.tif 000023
2004525728.tif 000024
2004525728.tif 000025
2004525728.tif 000026
【国際調査報告】
2004525728.tif 000027
2004525728.tif 000028
2004525728.tif 000029